(57)【特許請求の範囲】
【請求項１】
一連の曲の情報を表す音楽ファイルをディジタルオーディオ信号に変換しうる情報処理装置と、上記ディジタルオーディオ信号を記録媒体にディジタル録音するためのディジタル録音装置とを備え、該ディジタル録音装置に録音中の曲の番号を表示するための曲番号表示部が設けられたディジタル録音システムにおいて、
上記情報処理装置が、
音楽ファイルの曲の先頭をディジタルオーディオ信号に変換するのに同期して、曲番号表示部に表示される曲番号を変更するための表示曲番号変更指示信号を生成する信号生成部を備え、
上記ディジタル録音装置が、
表示曲番号変更指示信号を検出する信号検出部と、
信号検出部で表示曲番号変更指示信号が検出される毎に、曲番号表示部に表示される曲番号を変更する表示制御部とを備えることを特徴とするディジタル録音システム。
【請求項２】
ディジタルオーディオ信号を情報処理装置からディジタル録音装置へ伝送するためのディジタル信号ケーブルと、表示曲番号変更指示信号を信号処理装置の信号生成部からディジタル録音装置の信号検出部へ伝送するための制御信号ケーブルとが、互いに独立して設けられていることを特徴とする請求項１記載のディジタル録音システム。
【請求項３】
上記情報処理装置は、
曲番号情報を含むディジタルオーディオ信号が記録された第２の記録媒体から、曲番号情報を含むディジタルオーディオ信号を再生する再生装置と、
再生装置で再生されたディジタルオーディオ信号、および音楽ファイルの変換により得られたディジタルオーディオ信号のいずれをディジタル録音装置へ出力するかを切り替える切替手段とを備えるものであり、
上記表示制御部は、再生装置で再生されたディジタルオーディオ信号が情報処理装置から出力された場合には、該ディジタルオーディオ信号に含まれる曲番号情報に基づいて曲番号表示部に表示される曲番号を変更する一方、音楽ファイルの変換により得られたディジタルオーディオ信号が情報処理装置から出力された場合には、表示曲番号変更指示信号に基づいて曲番号表示部に表示される曲番号を変更するようになっていることを特徴とする請求項１または２に記載のディジタル録音システム。
【請求項４】
一連の曲の情報を表す音楽ファイルをディジタルオーディオ信号に変換しうる情報処理装置と、該ディジタルオーディオ信号を記録媒体にディジタル録音するためのディジタル録音装置とを備えるディジタル録音システムにおいて、録音中の曲の番号をディジタル録音装置に表示させる曲番号表示方法であって、
情報処理装置で音楽ファイルの曲の先頭をディジタルオーディオ信号に変換するのに同期して表示曲番号変更指示信号を生成するとともに表示曲番号変更指示信号をディジタル録音装置に出力し、ディジタル録音装置で表示曲番号変更指示信号が検出される毎に、ディジタル録音装置に表示される曲番号を変更することを特徴とする曲番号表示方法。
【請求項５】
一連の曲の情報を表す音楽ファイルをディジタルオーディオ信号に変換し、曲番号表示が可能なディジタル録音装置に出力しうる情報処理装置において、
音楽ファイルの曲の先頭をディジタルオーディオ信号に変換するのに同期して、曲番号表示部に表示される曲番号を変更するための表示曲番号変更指示信号を生成して出力する信号生成部を備えることを特徴とする情報処理装置。
【発明の詳細な説明】
【０００１】
【発明の属する技術分野】
本発明は、（１）情報処理装置からディジタルオーディオ信号を出力してディジタル録音装置で記録媒体にディジタル録音する際に、録音中の曲の番号をディジタル録音装置に表示させる曲番号表示方法、（２）上記曲番号表示方法に用いる、一連の曲の情報を表す音楽ファイルをディジタルオーディオ信号に変換して出力しうる情報処理装置、並びに、（３）上記曲番号表示方法に用いる、上記情報処理装置と上記ディジタルオーディオ信号を記録媒体にディジタル録音するためのディジタル録音装置とを備え、該ディジタル録音装置に録音中の曲の番号を表示する曲番号表示部が設けられたディジタル録音システムに関するものである。
【０００２】
【従来の技術】
従来より、オーディオＣＤ（Ｃｏｍｐａｃｔ  Ｄｉｓｃ）やオーディオＭＤ（Ｍｉｎｉ  Ｄｉｓｃ）  等の記録媒体からオーディオＭＤ等の記録媒体へディジタル録音を行いながら録音中の曲番号表示を行うことが可能なＭＤ録音装置等のディジタル録音装置が知られている。このようなディジタル録音装置では、オーディオＣＤやオーディオＭＤのデジタルオーディオ信号に付加されたユーザーズビット情報（以下、Ｕビット情報と略記する）に含まれる曲番号情報（ＴＮＯ情報）を利用している。すなわち、このようなディジタル録音装置では、ＣＤ再生装置やＭＤ再生装置からデジタルオーディオ信号に付属して送信されるＵビット情報をデコード（復号）することにより曲の切り替わりを検出し、各曲の先頭に同期して自動的に曲番号を表示曲番号を１つずつ上げるようになっている。
【０００３】
【発明が解決しようとする課題】
しかしながら、このようなディジタル録音装置では、オーディオＣＤ形式やオーディオＭＤ形式のＵビット情報しかデコード（復号）することができない。つまり、このようなディジタル録音装置では、ＣＤ再生装置やＭＤ再生装置のディジタル出力（ディジタルオーディオ信号）を録音する場合にしか、曲番号を表示できない。
【０００４】
なぜなら、Ｕビット情報は、ディジタルオーディオインターフェイス規格（ＥＩＡＪ  ＣＰ−１２０１）によって機器の種類ごとに分類されたカテゴリによって異なるからである。
【０００５】
例えば、オーディオＣＤのＵビット情報は、図２１に示すデータ構造となっている。このＵビット情報のＱ１〜Ｑ９６に曲番号情報（ＴＮＯ情報）および時間情報（ＴＩＭＥ情報）が含まれており、ＴＮＯ情報はＱ９〜Ｑ１６に含まれている。また、オーディオＭＤのＵビット情報も、時間情報を含まない（０固定）以外はオーディオＣＤと同様である。これに対し、ＣＤ再生装置やＭＤ再生装置以外の機器から出力されたディジタルオーディオ信号のＵビット情報は、出力機器のカテゴリーがＣＤ再生装置やＭＤ再生装置と異なるので、その内容、配置、データ量が、オーディオＣＤ形式やオーディオＭＤ形式のＵビット情報と異なる。そのため、前記従来のディジタル録音装置では、オーディオＣＤ形式やオーディオＭＤ形式以外の形式のＵビット情報をデコードすることができず、曲番号を表示できない。
【０００６】
特に、パーソナルコンピュータをはじめとする情報処理装置がディジタルオーディオ信号を出力する場合、出力装置である情報処理装置のカテゴリが、ディジタル変換機器、信号処理装置、あるいはＡ／Ｄ（Ａｎａｌｏｇ  ｔｏ  Ｄｉｇｉｔａｌ）  コンバータであるため、ディジタルオーディオインターフェイス規格で規定されているＵビット情報が、前記従来のディジタル録音装置でデコード可能なオーディオＣＤ形式やオーディオＭＤ形式のものとは異なる。
【０００７】
すなわち、情報処理装置でＷＡＶ形式やＭＰ３（ＭＰＥＧ（Ｍｏｔｉｏｎ  Ｐｉｃｔｕｒｅ  Ｅｘｐｅｒｔ  Ｇｒｏｕｐ）  １オーディオ・レイヤＩＩＩ  形式）等の音楽ファイルをディジタルオーディオ信号に変換してからディジタル録音装置に出力する場合、録音しようとするディジタルオーディオ信号に含まれるＵビット情報が、オーディオＣＤ形式やオーディオＭＤ形式のものとは異なり、前記従来のディジタル録音装置でデコードすることが不可能な形式である。
【０００８】
また、情報処理装置にオーディオＣＤの再生が可能なＣＤ−ＲＯＭ（Ｃｏｍｐａｃｔ  Ｄｉｓｃ  Ｒｅａｄ  Ｏｎｌｙ  Ｍｅｍｏｒｙ）  ドライブを接続し、ＣＤ−ＲＯＭドライブで読み取ったオーディオＣＤのデータを情報処理装置のオーディオプレーヤアプリケーションソフトウェア（以下、「アプリケーションソフトウェア」を「アプリケーション」と略記する）によりディジタルオーディオ信号として再生する場合、ＣＤ−ＲＯＭドライブから直接出力されたディジタルオーディオ信号は、ユーザビット情報を含んでいる。しかしながら、従来の情報処理装置には、ＣＤ−ＲＯＭドライブのディジタル出力をそのままディジタル出力する経路はない。ＣＤ−ＲＯＭドライブから出力されたディジタルオーディオ信号は、従来の情報処理装置を一旦経由して出力されると、ユーザビット情報を含まないか、あるいは、ユーザビット情報を含んでいても、そのＵビット情報が、前記従来のディジタル録音装置ではデコード不可能な形式となってしまう。
【０００９】
このように、情報処理装置がＵビット情報を生成して出力したとしても、そのＵビット情報は、前記従来のディジタル録音装置ではデコードすることができないものである。そのため、前記従来のディジタル録音装置では、Ｕビット情報により曲番号の変化を検出することができない。したがって、前記従来のディジタル録音装置では、情報処理装置から出力されるディジタルオーディオ信号の曲の先頭に同期して曲番号を１つずつ上げることは不可能である。
【００１０】
また、ディジタル録音装置には、信号レベルにより曲番号変化を検出する機能、すなわち、いわゆるオートマーク機能を備えているものがある。しかしながら、このオートマーク機能は、曲間の時間が各ディジタル録音装置に設定されている基準の時間より長く、かつ、曲間の信号レベルが各ディジタル録音装置に設定されている基準の信号レベルより低くなければ、正常に動作しない。そのため、曲間が短かい場合や、曲間に基準の信号レベルより高い信号レベルの音が記録されている場合には、曲番号が変化しても、表示曲番号が変わらないという問題点を有していた。
【００１１】
さらに、従来技術として、ＭＰ３やＷＡＶ形式の音楽ファイルをオーディオＣＤ用のデータに変換してＣＤ−Ｒ（Ｃｏｍｐａｃｔ  Ｄｉｓｃ−Ｒｅｃｏｒｄａｂｌｅ）  やＣＤ−ＲＷ（Ｃｏｍｐａｃｔ  Ｄｉｓｃ−Ｒｅｗｒｉｔａｂｌｅ）  （以下、これらをまとめて「ＣＤ−Ｒ／ＲＷ」と記す）へ書き込む機能を備えたＣＤライティングソフトウェアが知られている。
【００１２】
このＣＤライティングソフトウェアは、オーディオＣＤの作製時と同様に、ディジタルオーディオデータに加えて、Ｕビット情報として、曲頭を示すフラグ信号であるサブコードＰや、曲の番号等を示すサブコードＱをＣＤ−Ｒ／ＲＷに書き込めるようになっている。すなわち、このＣＤライティングソフトウェアは、ＣＤ−Ｒ／ＲＷ上に書き込むディジタルオーディオデータをＣＤ−Ｒ／ＲＷレコーダに送る際に、ディジタルオーディオデータにＣＤフォーマットのＵビット情報（サブコード）を生成・付加してＣＤ−Ｒ／ＲＷレコーダに出力している。
【００１３】
しかしながら、このＵビット情報（サブコード）の生成には、ある程度のＣＰＵの負荷が必要である。そのため、ＣＰＵパワーが大きくないと、ＣＤ−Ｒ／ＲＷレコーダへのデータの出力を連続的に行いながらＵビット情報の生成を行うことができなくなる。
【００１４】
ＣＤ−Ｒ／ＲＷへのディジタルオーディオデータの記録においては、ＣＤ−Ｒ／ＲＷレコーダへのデータ出力が間欠的であっても、データ出力時にだけディジタルオーディオデータの書込みが行われるので、ＣＤ−Ｒ／ＲＷに書き込まれたディジタルオーディオデータに途切れが生じることはない。そのため、Ｕビット情報の生成によりＣＰＵに負荷がかかっても、書き込まれたディジタルオーディオデータに音飛びが起こることはない。
【００１５】
これに対し、上記ＣＤライティングソフトウェアを用いて情報処理装置から出力したディジタルオーディオ信号をディジタル録音装置で記録媒体にディジタル録音する場合、情報処理装置におけるＵビット情報（サブコード）の生成およびディジタルオーディオ信号の出力（デコード）の両方にＣＰＵ（Ｃｅｎｔｒａｌ  Ｐｒｏｃｅｓｓｉｎｇ  Ｕｎｉｔ）  パワーが必要であり、しかも途切れることなくリアルタイムに処理しなければならない。処理が途切れれば音切れが起こるので、できる限りＣＰＵの負荷を低くすることが望まれる。
【００１６】
本発明は、上記従来の問題点に鑑みなされたものであり、その目的は、ディジタル録音における曲番号表示方法、並びに、それに用いる情報処理装置およびディジタル録音システムにおいて、曲間が短かい場合や、曲間に基準の信号レベルより高い信号レベルの音が記録されている場合であっても、正確な曲番号表示を行うことができ、かつ、曲番号表示を行うために必要な情報処理が軽く、音切れを防止することができる曲番号表示方法並びに情報処理装置およびディジタル録音システムを提供することにある。
【００１７】
【課題を解決するための手段】
本発明のディジタル録音システムは、上記の課題を解決するために、一連の曲の情報を表す音楽ファイルをディジタルオーディオ信号に変換しうる情報処理装置と、上記ディジタルオーディオ信号を記録媒体にディジタル録音するためのディジタル録音装置とを備え、該ディジタル録音装置に録音中の曲の番号を表示するための曲番号表示部が設けられたディジタル録音システムにおいて、上記情報処理装置が、音楽ファイルの曲の先頭をディジタルオーディオ信号に変換するのに同期して、曲番号表示部に表示される曲番号を変更するための表示曲番号変更指示信号を生成する信号生成部を備え、上記ディジタル録音装置が、表示曲番号変更指示信号を検出する信号検出部と、信号検出部で表示曲番号変更指示信号が検出される毎に、曲番号表示部に表示される曲番号を変更する表示制御部とを備えることを特徴としている。
【００１８】
上記構成によれば、信号生成部で、音楽ファイルの曲の先頭をディジタルオーディオ信号に変換するのに同期して、曲番号表示部に表示される曲番号を変更するための表示曲番号変更指示信号を生成し、信号検出部で表示曲番号変更指示信号を検出し、信号検出部で表示曲番号変更指示信号が検出される毎に、曲番号表示部に表示される曲番号を表示制御部で変更するようになっている。これにより、曲番号表示部に表示される曲番号を音楽ファイルの曲の切り換わり部分で確実に変更することができる。それゆえ、オートマーク機能を用いた曲番号表示と異なり、曲間が短かい場合や曲間に基準の信号レベルより高い信号レベルの音が記録されている場合にも、正確な曲番号表示を行うことができる。
【００１９】
また、上記構成では、曲番号表示のために必要な情報処理は、情報処理装置から曲の切り換わりを通知する処理、すなわち、音楽ファイルの曲の先頭をディジタルオーディオ信号に変換するのに同期して、曲番号表示部に表示される曲番号を変更するための表示曲番号変更指示信号を生成する処理だけである。そのため、ＣＤライティングソフトウェアでＵビット情報（サブコード）を生成する場合と比較すると、情報処理装置の負荷が軽いので、処理速度の不足による音切れを防止できる。
【００２０】
なお、本願明細書において、「ディジタル録音装置」とは、ＭＤレコーダやＤＡＴ（Ｄｉｇｉｔａｌ  Ａｕｄｉｏ  Ｔａｐｅｒｅｃｏｒｄｅｒ）等のようなディジタル録音が可能なオーディオ装置を指す。また、「音楽ファイル」は、情報処理装置で動作するＯＳ（オペレーティング・システム）で取り扱い可能な音声データのセットを指すものであり、ＭＰ３形式等のような圧縮型の音楽ファイルであってもよく、ＷＡＶ形式等のような非圧縮型の音楽ファイルであってもよい。
【００２１】
本発明のディジタル録音システムでは、ディジタルオーディオ信号を情報処理装置からディジタル録音装置へ伝送するためのディジタル信号ケーブルと、表示曲番号変更指示信号を信号処理装置の信号生成部からディジタル録音装置の信号検出部へ伝送するための制御信号ケーブルとが、互いに独立して設けられていることが、より好ましい。
【００２２】
このように、曲番号変更指示信号を伝送するための制御信号ケーブルをディジタルオーディオ信号を伝送するためのディジタル信号ケーブルと独立して設けることにより、制御信号ケーブルの通信方式を自由に選択することが可能になる。具体的には、例えば、制御信号ケーブルの通信方式を、管理が簡単な定期的に通信を行うものとしたり、情報処理装置の負荷が軽い必要な時（曲番号の変更が発生した時）にのみ通信を行うものとしたり、通信エラーが検出が可能な双方向通信としたりすることができる。
【００２３】
本発明のディジタル録音システムの好ましい一形態では、上記情報処理装置は、曲番号情報を含むディジタルオーディオ信号が記録されたオーディオＣＤやオーディオＭＤのような第２の記録媒体から、曲番号情報を含むディジタルオーディオ信号を再生する再生装置と、再生装置で再生されたディジタルオーディオ信号、および音楽ファイルの変換により得られたディジタルオーディオ信号のいずれをディジタル録音装置へ出力するかを切り替える切替手段とを備えるものであり、上記表示制御部は、再生装置で再生されたディジタルオーディオ信号が情報処理装置から出力された場合には、該ディジタルオーディオ信号に含まれる曲番号情報に基づいて曲番号表示部に表示される曲番号を変更する一方、音楽ファイルの変換により得られたディジタルオーディオ信号が情報処理装置から出力された場合には、表示曲番号変更指示信号に基づいて曲番号表示部に表示される曲番号を変更するようになっている。
【００２４】
上記構成によれば、オーディオＣＤやオーディオＭＤのような第２の記録媒体の再生時に、第２の記録媒体に記録された曲番号情報を利用して曲番号表示部に表示される曲番号が変更される。これにより、オーディオＣＤやオーディオＭＤのような第２の記録媒体の再生時に、表示曲番号変更指示信号を生成する必要がなくなり、情報処理装置の負荷を低減することができる。
【００２５】
本発明のディジタル録音システムの好ましい一形態では、上記情報処理装置が、オペレーティングシステムと、音楽ファイルをディジタルオーディオ信号に変換しうるオーディオプレーヤアプリケーションと、およびオーディオプレーヤアプリケーションと連係して表示曲番号変更指示信号を生成（表示曲番号ＵＰコマンドを発行）するディジタル録音装置制御アプリケーションとを記憶した記憶装置に接続され、かつ、該記憶装置からオペレーティングシステムとオーディオプレーヤアプリケーションとディジタル録音装置制御アプリケーションとを読み出して実行するものであり、上記オーディオプレーヤアプリケーションとディジタル録音装置制御アプリケーションとの連係にオペレーティングシステムのライブラリが利用されている。
【００２６】
上記構成によれば、オーディオプレーヤアプリケーションとディジタル録音装置制御アプリケーションとの組み合わせは自由なので、それぞれのアプリケーションとして独自で特徴のあるアプリケーションを作成することが可能である。また、ユーザの好みにより一方のアプリケーションだけを変更するもでき、拡張性もある。さらに、バグ対応のためのアプリケーションの修正や、機能向上や動作速度向上のためのアプリケーションのバージョンアップを行う場合にも、一方のアプリケーションを入れ替えるだけでよいので便利である。
【００２７】
また、本発明のディジタル録音システムの他の好ましい形態では、上記情報処理装置が、オペレーティングシステムと、音楽ファイルをディジタルオーディオ信号に変換しうるオーディオプレーヤアプリケーションとを記憶した記憶装置に接続され、かつ、該記憶装置からオペレーティングシステムとオーディオプレーヤアプリケーションとを読み出して実行するものであり、上記オーディオプレーヤアプリケーションが、表示曲番号変更指示信号を生成する機能を兼ね備えている。
【００２８】
上記構成によれば、オーディオプレーヤアプリケーションとディジタル録音装置制御アプリケーションとの機能を１つのオーディオプレーヤアプリケーションで実現しているので、複数のアプリケーションを起動する必要がない。それゆえ、処理速度が速くなり、また、情報処理装置の負担も少なくなる。
【００２９】
また、上記情報処理装置は、ディジタル録音装置との間で一定の時間毎に通信を行い、表示曲番号変更指示信号生成部で表示曲番号変更指示信号が生成された後の最初の通信において表示曲番号変更指示信号をディジタル録音装置に送信する構成であることが好ましい。これにより、状態変化等による割り込み処理を行う必要がなくなり、通信管理が簡単になる。
【００３０】
また、上記情報処理装置は、表示曲番号変更指示信号生成部で表示曲番号変更指示信号が生成されたときのみ通信を行い、表示曲番号変更指示信号をディジタル録音装置に送信する構成であってもよい。このように必要な時にのみ通信を行うと、通常時は、通信によって消費されるＣＰＵパワーがなく、その分だけＣＰＵの負荷が軽くなる。したがって、ＣＰＵパワーを他の処理に割り当てることができる。
【００３１】
また、本発明のディジタル録音システムでは、上記ディジタル録音装置が、情報処理装置から表示曲番号変更指示信号が送信されたときに、受信が無事に完了したことを示す受信完了信号（受信ＯＫステータス信号）を生成して送信する受信完了信号出力部をさらに備え、上記情報処理装置が、表示曲番号変更指示信号を送信した後、受信完了信号を受信するまで再生を停止し、受信完了信号を受信すると再生を開始するようになっていてもよい。
【００３２】
上記方法によれば、表示曲番号変更指示信号を送信した後、再生を停止し、受信完了信号を検出してから次曲の再生を開始するようにしたので、通信エラーに対応することができる。すなわち、通信エラーにより正常に表示曲番号変更指示信号が受信されず、曲番号を変更することなく次曲の再生に移ることを防止できる。
【００３３】
本発明の曲番号表示方法は、上記の課題を解決するために、一連の曲の情報を表す音楽ファイルをディジタルオーディオ信号に変換しうる情報処理装置と、該ディジタルオーディオ信号を記録媒体にディジタル録音するためのディジタル録音装置とを備えるディジタル録音システムにおいて、録音中の曲の番号をディジタル録音装置に表示させる曲番号表示方法であって、情報処理装置で音楽ファイルの曲の先頭をディジタルオーディオ信号に変換するのに同期して表示曲番号変更指示信号を生成するとともに表示曲番号変更指示信号をディジタル録音装置に出力し、ディジタル録音装置で表示曲番号変更指示信号が検出される毎に、ディジタル録音装置に表示される曲番号を変更することを特徴としている。
【００３４】
上記方法によれば、情報処理装置で、音楽ファイルの曲の先頭をディジタルオーディオ信号に変換するのに同期して、曲番号表示部に表示される曲番号を変更するための表示曲番号変更指示信号を生成し、ディジタル録音装置で表示曲番号変更指示信号が検出される毎に、ディジタル録音装置に表示される曲番号を変更するようになっている。これにより、ディジタル録音装置に表示される曲番号を音楽ファイルの曲の切り換わり部分で確実に変更することができる。それゆえ、オートマーク機能を用いた曲番号表示と異なり、曲間が短かい場合や曲間に基準の信号レベルより高い信号レベルの音が記録されている場合にも、正確な曲番号表示を行うことができる。
【００３５】
また、上記方法では、曲番号表示のために必要な情報処理は、情報処理装置から曲の切り換わりを通知する処理、すなわち、音楽ファイルの曲の先頭をディジタルオーディオ信号に変換するのに同期して、ディジタル録音装置に表示される曲番号を変更するための表示曲番号変更指示信号を生成する処理だけである。そのため、ＣＤライティングソフトウェアでＵビット情報（サブコード）を生成する場合と比較すると、情報処理装置の負荷が軽いので、処理速度の不足による音切れを防止できる。
【００３６】
本発明の情報処理装置は、上記の課題を解決するために、一連の曲の情報を表す音楽ファイルをディジタルオーディオ信号に変換し、曲番号表示が可能なディジタル録音装置に出力しうる情報処理装置において、音楽ファイルの曲の先頭をディジタルオーディオ信号に変換するのに同期して、曲番号表示部に表示される曲番号を変更するための表示曲番号変更指示信号を生成して出力する信号生成部を備えることを特徴としている。
【００３７】
上記構成により、ディジタル録音装置で表示曲番号変更指示信号が検出される毎に、ディジタル録音装置に表示される曲番号を変更するようにすれば、ディジタル録音装置に表示される曲番号を音楽ファイルの曲の切り換わり部分で確実に変更することが可能となる。それゆえ、オートマーク機能を用いた曲番号表示と異なり、曲間が短かい場合や曲間に基準の信号レベルより高い信号レベルの音が記録されている場合にも、正確な曲番号表示を行うことができる。
【００３８】
また、上記方法では、曲番号表示のために必要な情報処理は、情報処理装置から曲の切り換わりを通知する処理、すなわち、音楽ファイルの曲の先頭をディジタルオーディオ信号に変換するのに同期して、ディジタル録音装置に表示される曲番号を変更するための表示曲番号変更指示信号を生成する処理だけである。そのため、ＣＤライティングソフトウェアでＵビット情報（サブコード）を生成する場合と比較すると、情報処理装置の負荷が軽いので、処理速度の不足による音切れを防止できる。
【００３９】
【発明の実施の形態】
〔実施の形態１〕
まず、本発明に係るディジタル録音システムの概略について図１に基づいて説明する。
【００４０】
本発明に係るディジタル録音システムは、図１に示すように、一連の曲の情報を表す音楽ファイルをディジタルオーディオ信号に変換して出力可能な情報処理装置（情報端末）１０と、ディジタルオーディオ信号を録音可能なＭＤ等の記録媒体にディジタル録音するためのディジタル録音装置（オーディオ装置）４０と、ディジタル録音装置４０と情報処理装置１０とを接続するディジタル信号ケーブルとしての光ケーブル５０と、ディジタル録音装置４０と情報処理装置１０とを接続する制御信号ケーブル５１とを備えている。なお、ディジタル信号ケーブルとして、光ケーブル５０の代わりに同軸ケーブルを用いてもよい。
【００４１】
本発明の曲番号表示方法は、ディジタル録音装置４０と情報処理装置１０とを光ケーブル５０で接続し、情報処理装置１０からディジタルオーディオ信号を出力してディジタル録音装置４０で記録媒体にディジタル録音するに際して、ディジタル録音装置４０に録音中の曲の番号を表示する方法であって、情報処理装置１０からディジタルオーディオ信号を光ケーブル５０を介してディジタル録音装置４０に出力すると同時に、ディジタル録音装置４０に表示される曲番号を変更するための曲番号変更指示信号（曲番号ＵＰ制御信号）を曲の先頭に同期して情報処理装置１０からディジタル録音装置４０に出力し、この曲番号変更指示信号をディジタル録音装置４０で受信する毎に、ディジタル録音装置４０に表示される曲番号を１つずつ上げる方法である。
【００４２】
すなわち、本発明の曲番号表示方法は、ディジタルオーディオ信号を情報処理装置１０から光ケーブル５０を介してディジタル録音装置４０に出力し、ディジタル録音装置４０で記録媒体にディジタル録音するに際して、ディジタル録音装置４０に録音中の曲の番号を表示する方法であって、情報処理装置１０で再生している曲の番号が１つ上がる毎に情報処理装置１０から曲番号変更コマンド（曲番号ＵＰ制御コマンド）を発行し、曲番変更制御信号を情報処理装置１０からディジタル録音装置４０に出力し、ディジタル録音装置４０で曲番号変更コマンドを検出する毎に、ディジタル録音装置４０に表示される曲番号を１つずつ上げる方法である。
【００４３】
上記方法によれば、曲間が短かい場合や、曲間に基準の信号レベルより高い信号レベルの音が記録されている場合であっても、正確な曲番号表示を行うことができる。
【００４４】
また、上記方法では、ディジタル録音装置４０における曲番号表示を制御するための制御信号ケーブル（制御経路）５１を、ディジタルオーディオ信号を伝送する光ケーブル５０とは独立して設け、制御信号ケーブル５１を介して曲番号変更指示信号を情報処理装置１０からディジタル録音装置４０に伝送することが好ましい。
【００４５】
図２は、曲データと曲番号変更制御信号との関係を示している。情報処理装置１０から曲番号変更コマンド（曲番号ＵＰコマンド）が発行されると、ディジタル録音装置４０は曲番号変更コマンドを検知し、曲番号変更コマンドを検出する毎に、ディジタル録音装置４０に表示される曲番号を１つずつ上げる。なお、ディジタル録音装置４０に表示される曲番号が変わるまでには、曲番号変更コマンドの通信時間や、ディジタル録音装置４０で曲番号変更コマンドを検出する時間が必要である。そのため、ディジタル録音装置４０に表示される曲番号の変化は、録音されている曲の番号の変化に対して幾らか遅延が生じるが、この通信速度および処理時間による遅延は１０ｍｓｅｃ程度であるので、実用上無視できるレベルである。
【００４６】
次に、本発明の曲番号表示方法の好ましい一形態について、図３を用いて説明する。
【００４７】
図３は、本発明の実施の一形態に係るディジタル録音システムの概略を示すものである。本実施形態に係るディジタル録音システムは、図１に示すディジタル録音システムの一形態であり、図３に示すように、情報処理装置１０内にオーディオプレーヤアプリケーション２ｂおよびディジタル録音装置制御アプリケーション２ｃを格納している。
【００４８】
オーディオプレーヤアプリケーション２ｂは、オーディオＣＤ（第２の記録媒体）１ａおよび音楽ファイル２ａからディジタルオーディオ信号を再生してディジタル録音装置４０に出力するためのものである。また、ディジタル録音装置制御アプリケーション２ｃは、オーディオプレーヤアプリケーション２ｂと連携しながら表示曲番号変更指示信号を生成してディジタル録音装置４０に出力するためのものである。
【００４９】
オーディオＣＤ１ａおよび音楽ファイル２ａから生成されたディジタルオーディオ信号は、オーディオプレーヤアプリケーション２ｂにより図１の光ケーブル５０を介してディジタル録音装置４０に出力される。
【００５０】
このオーディオプレーヤアプリケーション２ｂは、インターフェイスにＷｉｎｄｏｗｓ（登録商標）等のＯＳ（オペレーティングシステム）に用意されたライブラリを利用することで、ディジタル録音装置制御アプリケーション２ｃとの連携（インターフェイス）を実現している。オーディオプレーヤアプリケーション２ｂとディジタル録音装置制御アプリケーション２ｃとの間の連係（インターフェイス）に利用可能なＯＳのライブラリとしては、例えば、ＯＳがＷｉｎｄｏｗｓ（登録商標）である場合には、Ｗｉｎｄｏｗ  Ｈａｎｄｌｅｒ、Ｗｉｎｄｏｗ  Ｍｅｓｓａｇｅを使用したＳｅｎｄ  Ｍｅｓｓａｇｉｎｇ、およびＤＤＥＭＬ（Ｄｙｎａｍｉｃ  Ｄａｔａ  Ｅｘｃｈａｎｇｅ  Ｍａｎａｇｅｍｅｎｔ  Ｌｉｂｒａｒｙ）が挙げられる。
【００５１】
オーディオプレーヤアプリケーション２ｂは、再生している曲の番号が上がると、曲番号が上がったことをディジタル録音装置制御アプリケーション２ｃに通知する。この通知を受けると、ディジタル録音装置制御アプリケーション２ｃは、表示曲番号変更コマンド（曲番号ＵＰコマンド）を発行する。以上により、曲の先頭に同期してディジタル録音装置４０に表示される曲番号を１つずつ上げることが可能である。
【００５２】
本実施形態の方法によれば、オーディオプレーヤアプリケーション２ｂとディジタル録音装置制御アプリケーション２ｃとを連係する部分（インターフェイスの部分）を共通化しておけばオーディオプレーヤアプリケーション２ｂとディジタル録音装置制御アプリケーション２ｃとの組み合わせは自由なので、それぞれのアプリケーションとして独自で特徴のあるアプリケーションを作成することが可能である。また、ユーザの好みにより一方のアプリケーションだけを変更するもでき、拡張性もある。さらに、バグ対応のためのアプリケーションの修正や、機能向上や動作速度向上のためのアプリケーションのバージョンアップを行う場合にも、一方のアプリケーションを入れ替えるだけでよいので便利である。
【００５３】
次に、本実施形態の曲番号表示方法について、図１、図４、および図５を用いてさらに詳細に説明する。
【００５４】
本実施形態の曲番号表示方法を説明する前に、本実施形態の曲番号表示方法を実現するためのディジタル録音システムについて説明する。
【００５５】
本実施形態に係るディジタル録音システムは、図１を用いて説明した通り、情報処理装置１０と、ディジタル録音装置４０と、光ケーブル５０と、制御信号ケーブル５１とを備えている。
【００５６】
情報処理装置１０は、図４に示すように、後述するソフトウェア（オーディオプレーヤアプリケーション２ｂ、ディジタル録音装置制御アプリケーション２ｃ、およびＯＳ２ｄ）を実行するためのＣＰＵ４と、後述するソフトウェア（オーディオプレーヤアプリケーション２ｂ、ディジタル録音装置制御アプリケーション２ｃ、およびＯＳ２ｄ）を後述するハードディスクから読み込むためのＲＡＭ（ランダム・アクセス・メモリ）等のメモリ５と、ディジタルオーディオ信号を出力するためのオーディオデバイス６と、オーディオデバイス６から出力されたディジタルオーディオ信号を光信号に変換して光ケーブル５０経由でディジタル録音装置４０に出力するための光出力ユニット８と、表示曲番号変更指示信号をディジタル録音装置４０に送信するためのシリアルインターフェイス（シリアルＩ／Ｆ）９とを備えている。
【００５７】
また、ＣＰＵ４には、インターフェイス（Ｉ／Ｆ）３を介して、オーディオＣＤ（第２の記録媒体）１ａおよびＣＤ−ＲＯＭを再生可能なＣＤ−ＲＯＭドライブ１と、ＯＳ（オペレーティング・システム）２ｄ、音楽ファイル２ａ、オーディオプレーヤアプリケーション２ｂ、ディジタル録音装置制御アプリケーション２ｃを格納したハードディスク（ＨＤＤ）２と、ＣＲＴ表示装置や液晶表示装置等の表示装置１５と、キーボードやマウス等の入力装置１６とが接続されている。
【００５８】
ディジタル録音装置制御アプリケーション２ｃは、オーディオプレーヤアプリケーション２ｂと連携し、音楽ファイルの曲の先頭をディジタルオーディオ信号に変換するのに同期して、曲番号表示部２７（後述する）に表示される曲番号を１つずつ上げるための表示曲番号変更指示信号を生成する機能を備えている。このディジタル録音装置制御アプリケーション２ｃは、メモリ５に読み込まれ、ＣＰＵ４により実行される。したがって、本実施形態では、表示曲番号変更指示信号生成部が、ディジタル録音装置制御アプリケーション２ｃ、ＣＰＵ４、およびメモリ５によって実現されている。
【００５９】
ディジタル録音装置４０は、図５に示すように、光ケーブル５０を介して入力されたディジタルオーディオ信号（光信号）を電気信号に変換する光入力ユニット２１と、制御信号ケーブル５１を介して入力された表示曲番号変更指示信号をマイクロコンピュータ２５に入力するためのシリアルインターフェイス（シリアルＩ／Ｆ）２２と、録音すべきディジタルオーディオ信号をエンコードしてヘッド３０（後述する）に送る一方、ヘッド３０で再生された信号をデコードするためのエンコーダ／デコーダＬＳＩ（Ｌａｒｇｅ  Ｓｃａｌｅ  Ｉｎｔｅｇｒａｔｅｄ  Ｃｉｒｃｕｉｔ）２６と、録音中の曲の番号を表示するための曲番号表示部２７と、エンコーダ／デコーダＬＳＩ２６、曲番号表示部２７、および駆動回路２９（後述する）を制御するためのマイクロコンピュータ２５とを備えている。マイクロコンピュータ２５は、表示曲番号変更指示信号を検出するための信号検出部２３と、信号検出部２３で表示曲番号変更指示信号が検出される毎に、曲番号表示部２７に表示される曲番号を１つずつ上げるための表示制御部２４とを備えている。
【００６０】
ディジタル録音装置４０は、さらに、録音可能なＭＤ等の光磁気ディスクに対して光磁気記録を行うための磁気ヘッドであるヘッド３０、再生／記録用のレーザ照射を光磁気ディスクに対して行うとともに読み取り信号光である光磁気ディスクからの反射光を受光する光ピックアップ３１、光磁気ディスクを回転させるためのスピンドルモータ３２、ヘッド３０および光ピックアップ３１をスライダ（送りモータ）３３、光ピックアップ３１に送る信号を増幅するためのヘッドアンプ２８、スピンドルモータ３２およびスライダ３３を駆動するための駆動回路２９等を備えている。
【００６１】
次に、上記ディジタル録音システムによるディジタル録音方法について説明する。
【００６２】
オーディオＣＤ１ａの再生は、次のようにして行われる。まず、ユーザが情報処理装置１１を起動すると、ＯＳ２ｄがメモリ５に読み込まれて起動される。次いで、ユーザが、オーディオＣＤ１ａをＣＤ−ＲＯＭドライブ１にセットし、オーディオプレーヤアプリケーション２ｅをＯＳ２ｄ上で起動させるための所定の入力操作を入力装置１６で行うと、オーディオプレーヤアプリケーション２ｅがメモリ５に読み込まれて起動される。そして、ユーザが、オーディオＣＤ１ａの再生を開始するための所定の入力操作を入力装置１６で行うと、オーディオプレーヤアプリケーション２ｅに含まれているオーディオＣＤ再生プログラムがＣＰＵ４によって実行され、インターフェイス３を介してＣＤ−ＲＯＭ１にオーディオＣＤ１ａの再生開始が指示される。これにより、ＣＤ−ＲＯＭ１でオーディオＣＤ１ａの再生が開始され、オーディオＣＤ１ａから再生されたディジタルオーディオデータがインターフェイス３を介してＣＰＵ４に送られる。次いで、ＣＰＵ４は、このディジタルオーディオデータをディジタルオーディオ信号としてオーディオデバイス６から出力させる。最後に、ディジタルオーディオ信号は、光出力ユニット８で電気信号から光信号に変換された後、出力される。
【００６３】
一方、音楽ファイル２ａの再生は、次のようにして行われる。
【００６４】
音楽ファイル２ａは、ＣＤ−ＲＯＭドライブ１のディジタルオーディオ出力（オーディオＣＤ１ａに記録されたディジタルオーディオ信号）のフォーマット、すなわち、ディジタルオーディオフォーマット（ＰＣＭ形式）とは異なるフォーマットの音楽ファイル（例えば、ＭＰ３形式やＷＡＶ形式のファイル）であるため、ディジタルオーディオ号への変換が必要である。そのため、音楽ファイル２ａの再生時には、音楽ファイル２ａがオーディオプレーヤアプリケーション２ｂを用いてディジタルオーディオ信号にフォーマット変換された後、ディジタル録音装置４０へ出力される。
【００６５】
具体的には、まず、ユーザが情報処理装置１１を起動すると、ＯＳ２ｄおよび音楽ファイル２ａがメモリ５に読み込まれて起動される。次いで、ユーザが、オーディオプレーヤアプリケーション２ｅをＯＳ２ｄ上で起動させるための所定の入力操作を入力装置１６で行うと、オーディオプレーヤアプリケーション２ｅがメモリ５に読み込まれて起動される。そして、ユーザが、音楽ファイル２ａの再生を開始するための所定の入力操作を入力装置１６で行うと、オーディオプレーヤアプリケーション２ｅに含まれている音楽ファイル再生プログラムがＣＰＵ４によって実行され、音楽ファイル２ａの再生、すなわち、音楽ファイル２ａからディジタルオーディオ信号への変換が開始される。次いで、ＣＰＵ４は、この変換により得られたディジタルオーディオ信号をオーディオデバイス６から出力させる。最後に、ディジタルオーディオ信号は、光出力ユニット８で電気信号から光信号に変換された後、出力される。
【００６６】
そして、オーディオＣＤ１ａの再生により得られたディジタルオーディオ信号（光信号）、および音楽ファイル２ａの変換により得られたディジタルオーディオ信号（光信号）は、光ケーブル５０を介してディジタル録音装置４０に送信される。
【００６７】
ディジタル録音装置４０では、光ケーブル５０を介して入力されたディジタルオーディオ信号（光信号）が、光入力ユニット２１で受信されて電気信号に変換され、さらにエンコーダ／デコーダＬＳＩ２６でエンコードされた後、ヘッド（磁気ヘッド）３０および光ピックアップ３１によりＭＤ等の光磁気ディスクに記録される。このとき、マイクロコンピュータ２５からの指示に基づいて駆動回路２９からスピンドルモータ３２に駆動電圧が印加されており、これによって、光磁気ディスクがスピンドルモータ３２によって所定の回転速度で回転駆動されている。また、このとき、マイクロコンピュータ２５からの指示に基づいて駆動回路２９からスライダ３３に駆動電圧が印加されており、これによって、ヘッド３０および光ピックアップ３１がスライダ３３によって記録位置まで移動される。
【００６８】
次に、本実施形態の曲番号表示方法について説明する。
【００６９】
まず、ディジタル録音装置４０では、ユーザの指示によって、オーディオプレーヤアプリケーション２ｂによるオーディオＣＤ１ａまたは音楽ファイル２ａの再生が開始されると、ディジタル録音装置４０のマイクロコンピュータ２５において再生の開始が検出される。再生の開始が検出されると、表示制御部２４は、最初の曲番号、すなわち曲番号「１」を曲番号表示部２７に表示させる。
【００７０】
その後、情報処理装置１０では、オーディオプレーヤアプリケーション２ｂによってオーディオＣＤ１ａまたは音楽ファイル２ａが再生されているときに、曲番号の変化が発生すると、曲番号の変化がディジタル録音装置制御アプリケーション２ｃに通知される。これにより、曲の先頭に同期して、すなわち、曲番号が変化した時に、ディジタル録音装置制御アプリケーション２ｃによって表示曲番号変更信号が生成される（曲番ＵＰコマンドが発行される）。そして、この表示曲番号変更信号は、シリアルインターフェイス９から制御信号ケーブル５１を通してディジタル録音装置４０に送信される。
【００７１】
ディジタル録音装置４０では、この表示曲番号変更信号がシリアルインターフェイス２２を介して信号検出部（曲番ＵＰコントロール信号検出部）２３に入力され、信号検出部２３で表示曲番号変更指示信号が検出される。そして、信号検出部２３で表示曲番号変更指示信号が検出される毎に、表示制御部２４が、曲番号表示部２７に表示される曲番号を１つずつ上げるべく曲番号表示部２７を制御する。
【００７２】
以上のようにして、本実施形態のディジタル録音システムでは、情報処理装置１０で再生している曲の先頭に同期して、ディジタル録音装置４０の表示曲番号を確実に１つずつ上げていくことができる。それゆえ、オートマーク機能を用いた曲番号表示と異なり、曲間が短かい場合や曲間に基準の信号レベルより高い信号レベルの音が記録されている場合にも、正確な曲番号表示を行うことができる。
【００７３】
また、上記構成では、曲番号表示のために必要なＣＰＵ４の情報処理は、情報処理装置１０から曲の切り換わりを通知する処理、すなわち、音楽ファイル２ａの曲の先頭をディジタルオーディオ信号に変換するのに同期して、曲番号表示部２７に表示される曲番号を変更するための表示曲番号変更指示信号を生成する処理だけである。そのため、ＣＤライティングソフトウェアでＵビット情報（サブコード）を生成する場合と比較すると、情報処理装置１０のＣＰＵ４の負荷が軽いので、ＣＰＵ４の処理速度の不足によるディジタルオーディオ信号の音切れを防止できる。
【００７４】
なお、ディジタル録音装置制御アプリケーション２ｃは、ディジタル録音装置４０で表示される曲番号変更指示だけでなく、ディジタル録音装置４０の動作制御、例えば、ディジタル録音装置４０の録音開始や録音停止等が可能であってもよいことは言うまでもない。
【００７５】
〔実施の形態２〕
本発明の他の実施の形態について図６および図７に基づいて以下に説明する。なお、説明の便宜上、前記実施の形態１にて示した各部材と同一の機能を有する部材には、同一の符号を付記し、その説明を省略する。
【００７６】
本実施形態のディジタル録音システムは、図６に示すように、情報処理装置１０に代えて情報処理装置１１を備える以外は実施の形態１のディジタル録音システムと同様の構成を備えている。
【００７７】
本実施形態の情報処理装置１１は、図７に示すように、オーディオプレーヤアプリケーション２ｂおよびディジタル録音装置制御アプリケーション２ｃに代えて、オーディオプレーヤアプリケーション２ｂとディジタル録音装置制御アプリケーション２ｃとの２つのアプリケーションの機能を兼ね備えるオーディオプレーヤアプリケーション２ｅをハードディスク２に格納している以外は、実施の形態１の情報処理装置１０と同様の構成を備えている。
【００７８】
情報処理装置１１では、そのオーディオプレーヤアプリケーション２ｅにより、実施の形態１と同様にして、オーディオＣＤ１ａの再生および音楽ファイル２ａのディジタルオーディオ信号への変換が行われる。
【００７９】
そして、オーディオＣＤ１ａの再生により得られたディジタルオーディオ信号（光信号）、および音楽ファイル２ａの変換により得られたディジタルオーディオ信号（光信号）は、光ケーブル５０を介してディジタル録音装置４０に送信される。
【００８０】
ディジタル録音装置４０では、光ケーブル５０を介して入力されたディジタルオーディオ信号（光信号）が、実施の形態１と同様にして、光入力ユニット２１で電気信号に変換され、さらにエンコーダ／デコーダＬＳＩ２６でエンコードされた後、ヘッド３０によりＭＤ等の光磁気ディスクに記録される。
【００８１】
また、情報処理装置１１では、このオーディオプレーヤアプリケーション２ｅにより、曲の先頭に同期して、すなわち、曲番号が変化した時に、表示曲番号変更信号が生成される（曲番ＵＰコマンドが発行される）。そして、この表示曲番号変更信号は、制御信号ケーブル５１を通してディジタル録音装置４０に送信される。
【００８２】
以上のようにして、本実施形態のディジタル録音システムにおいても、情報処理装置１１で再生している曲の先頭に同期してディジタル録音装置４０の表示曲番号を１つずつ上げていくことが可能である。
【００８３】
さらに、本実施形態の情報処理装置１１では、オーディオプレーヤアプリケーション２ｂとディジタル録音装置制御アプリケーション２ｃとの機能を１つのオーディオプレーヤアプリケーション２ｅで実現している。これにより、実施の形態１の情報処理装置１０と比較して、処理速度（反応）が速くなり、また、複数のアプリケーションを起動する必要がないのでＣＰＵ４の負担も少なくなる。
【００８４】
〔実施の形態３〕
本発明のさらに他の実施の形態について図８および図９に基づいて以下に説明する。なお、説明の便宜上、前記実施の形態１にて示した各部材と同一の機能を有する部材には、同一の符号を付記し、その説明を省略する。
【００８５】
本実施形態のディジタル録音システムは、図８に示すように、情報処理装置１０に代えて情報処理装置１２を備える以外は実施の形態１のディジタル録音システムと同様の構成を備えている。
【００８６】
本実施形態の情報処理装置１２は、図９に示すように、情報処理装置１０が備える構成要素に加えて、再生対象がオーディオＣＤ１ａであるか音楽ファイル２ａであるかによって切り替えを行う切替回路（切替手段）７、すなわち、ＣＤ−ＲＯＭドライブ（再生装置）１におけるオーディオＣＤ（第２の記録媒体）１ａの再生により得られたディジタルオーディオ信号、および音楽ファイル２ａの変換により得られたディジタルオーディオ信号のいずれをディジタル録音装置４０へ出力するかを切り替える切替回路７を備えている。この切替回路７における出力の切り替えは、オーディオプレーヤアプリケーション２ｂによって制御されるようになっている。
【００８７】
また、本実施形態のディジタル録音装置４０では、図示していないが、表示制御部２４が、ＣＤ−ＲＯＭドライブ１再生装置で再生されたオーディオＣＤ形式のＵビット情報を含むディジタルオーディオ信号が情報処理装置１２から出力された場合には、オーディオＣＤ形式のＵビット情報に含まれる曲番号情報に基づいて曲番号表示部２７に表示される曲番号を変更する一方、音楽ファイル２ａの変換により得られたディジタルオーディオ信号が情報処理装置１２から出力された場合には、表示曲番号変更指示信号に基づいて曲番号表示部２７に表示される曲番号を変更するようになっている。
【００８８】
すなわち、音楽ファイル２ａの再生時には、実施の形態１および２と同様にして、表示曲番号変更指示信号に基づいて曲番号表示部２７に表示される曲番号が変更される。
【００８９】
一方、オーディオＣＤ１ａの再生時には、オーディオＣＤ１ａに記録されたオーディオＣＤ形式のＵビット情報を含むディジタルオーディオ信号がハードディスク２に格納されたオーディオプレーヤアプリケーション２ｂによりＣＤ−ＲＯＭドライブ１で再生され、ＣＤ−ＲＯＭドライブ１からＣＰＵ４を経由することなく直接ディジタル録音装置４０へ出力される。前述したように、ディジタル録音装置４０のエンコーダ／デコーダＬＳＩ２６は、オーディオＣＤ形式のＵビット情報をデコードする機能を有している。そのため、オーディオＣＤ１ａから再生されたディジタルオーディオ信号が直接ディジタル録音装置４０へ出力された場合には、エンコーダ／デコーダＬＳＩ２６でディジタルオーディオ信号のＵビット情報をデコードし、マイクロコンピュータ２５で曲番号変化を検出することができる。それゆえ、マイクロコンピュータ２５の表示制御部２４において、曲番号変化が検出される毎に曲番号表示部２７に表示される曲番号を１つずつ上げることで、録音中の曲の番号を正確に表示することができる。
【００９０】
以上のように、本実施形態では、オーディオＣＤ１ａの再生時に、オーディオＣＤ１ａに記録されたオーディオＣＤ形式のＵビット情報を利用して曲番号表示部２７に表示される曲番号が変更される。これにより、オーディオＣＤ１ａの再生時には、ディジタル録音装置制御アプリケーション２ｃを起動しなくて済むので、通信によって消費されるＣＰＵパワーがなく、その分だけＣＰＵの負荷が軽くなる。したがって、ＣＰＵパワーを他の処理に割り当てることができる。
【００９１】
〔実施の形態４〕
本発明のさらに他の実施の形態について図１０ないし図１２に基づいて以下に説明する。なお、説明の便宜上、前記実施の形態１にて示した各部材と同一の機能を有する部材には、同一の符号を付記し、その説明を省略する。
【００９２】
本実施形態に係るディジタル録音システムは、図１０に示すように、実施の形態１のディジタル録音装置と同様、情報処理装置１０およびディジタル録音装置４０を備えている。
【００９３】
本実施形態の曲番号表示方法では、図１１に示すように、ディジタル録音装置４０と情報処理装置１０との間で一定の時間毎に通信を行う（図１１に示すパルスとして所定のコマンドを送信する）。そして、情報処理装置１０では、再生している曲の番号が１つ上がると、その後の最初の通信のときに表示曲番号変更指示信号として表示曲番号変更コマンド（曲番ＵＰコマンド）をディジタル録音装置４０に送信（発行）する。これにより、ディジタル録音装置４０に表示される曲番号を１つずつ上げていくことが可能である。このとき、例えば５０ｍｓ毎に通信を行うとすると、曲番号が上がってから表示曲番号変更コマンドが送信されるまでに最大で５０ｍｓの遅延が生じる。しかしながら、５０ｍｓ程度の遅延であれば、実用上、間題はない。したがって、通信を行う間隔は、５０ｍｓ以下であることが好ましい。
【００９４】
なお、情報処理装置１０では、定期的な通信のうち、曲番号がＵＰした後の最初の通信の時以外は、ダミー通信、すなわち、定期通信コマンドをディジタル録音装置４０に送信する。この定期通信コマンドは、曲番号ＵＰコマンドと異なるものである。すなわち、例えば、情報処理装置１０では、曲番号が上がった後の最初の通信の時に表示曲番号変更コマンドとして“１０ｈ”（ｈは１６進法で表した数であることを示す）の１６進コマンドをディジタル録音装置４０に送信すし、ダミー通信の時には、定期通信コマンドとして“００ｈ”の１６進コマンドを送信するようになっている。
【００９５】
次に、本実施形態の曲番号表示方法について、図１２のフローチャートに基づいて説明する。
【００９６】
なお、本実施形態の情報処理装置１０には、ＣＰＵ４の出力を保持するための通知バッファが設けられているものとする。通知バッファには、曲番号の変化などの何らかのイベントが起こった状態（値）を保持できるようになっている。また、通知バッファは、曲番号の変化に応じてフラグを立てるか、曲番号そのものを記憶することで曲番号の変化を保持できるようになっている。
【００９７】
本実施形態の曲番号表示方法では、まず、情報処理装置１０において５０ｍｓが経過するまで待機した（Ｓ１）後、オーディオプレーヤアプリケーション２ｂが通知バッファをチェックし（Ｓ２）、曲番号の変化があるか、すなわち、通知バッファが曲番号の変化が起こった状態（例えば、フラグが初期値から変化した状態）であるかを判定する（Ｓ３）。すなわち、５０ｍｓ経過する毎に、オーディオプレーヤアプリケーション２ｂが通知バッファをチェックして曲番号の変化があるかを判定する。そして、Ｓ３で曲番号の変化があった場合には、表示曲番号変更コマンド（曲番ＵＰコマンド）を発行する（Ｓ４）。一方、Ｓ３で曲番号の変化がなかった場合には、定期通信コマンドを発行する（Ｓ５）。
【００９８】
以上のように、本実施形態では、定期的に通信を行い、曲番号がＵＰした後の最初の通信の時には表示曲番号変更コマンドを発行し、曲番号変化のない時にはダミー通信を行う。そのため、状態変化等による割り込み処理を行う必要がないので、通信管理が簡単である。また、この通信を双方向とすれば、曲途中での制御信号ケーブル５１の切断等による通信エラーも検出できる。
【００９９】
なお、本実施形態では、実施の形態１と同様の情報処理装置１０を用いた場合について説明したが、情報処理装置１０に代えて、実施の形態２の情報処理装置１１や実施の形態３の情報処理装置１２を用いてもよい。
【０１００】
〔実施の形態５〕
本発明のさらに他の実施の形態について図１３ないし図１５に基づいて以下に説明する。なお、説明の便宜上、前記実施の形態１にて示した各部材と同一の機能を有する部材には、同一の符号を付記し、その説明を省略する。
【０１０１】
本実施形態に係るディジタル録音システムは、図１３に示すように、実施の形態１のディジタル録音装置と同様、情報処理装置１０およびディジタル録音装置４０を備えている。
【０１０２】
次に、本実施形態の曲番号表示方法について、図１４のフローチャートに基づいて説明する。
【０１０３】
本実施形態の曲番号表示方法では、図１４に示すように、通信の必要な時にのみ通信を行う。つまり、本実施形態の情報処理装置１０では、ＣＰＵ４で表示曲番号変更コマンド（曲番号ＵＰコマンド）が発行されたときにのみ通信を行い、ディジタル録音装置４０に表示曲番号変更コマンドを送信する。この表示曲番号変更コマンドを受けたディジタル録音装置４０は、曲番号表示部２７に表示される曲番号を１つずつ上げる。
【０１０４】
情報処理装置１０は、図１５に示すように、再生している曲番号の変化（曲番号ＵＰ割込）が発生するかどうかを常時監視し（Ｓ１１）、曲番号変化が発生すると、通信を行い、表示曲番号変更コマンドをディジタル録音装置４０に送信（発行）する（Ｓ１２）。
【０１０５】
本実施形態の方法によれば、必要な時にのみ通信を行うので、通常時は、通信によって消費されるＣＰＵパワーがなく、その分だけＣＰＵの負荷が軽くなる。したがって、ＣＰＵパワーを他の処理に割り当てることができる。
【０１０６】
なお、本実施形態でも、実施の形態１と同様の情報処理装置１０を用いた場合について説明したが、情報処理装置１０に代えて、実施の形態２の情報処理装置１１や実施の形態３の情報処理装置１２を用いてもよい。
【０１０７】
〔実施の形態６〕
本発明のさらに他の実施の形態について図１６ないし図２０に基づいて以下に説明する。なお、説明の便宜上、前記実施の形態１にて示した各部材と同一の機能を有する部材には、同一の符号を付記し、その説明を省略する。
【０１０８】
本実施形態に係るディジタル録音システムは、図１６に示すように、実施の形態１の情報処理装置１０およびディジタル録音装置４０に代えて、情報処理装置１３およびディジタル録音装置４１を備えている。
【０１０９】
情報処理装置１３は、図１７に示すように、受信完了信号を受信可能な構成の通信部（ＣＰＵ４およびシリアルＩ／Ｆ９’）を備えている以外は、実施の形態１の情報処理装置１０と同様の構成を備えている。
【０１１０】
また、ディジタル録音装置４１は、図１８に示すように、受信完了信号を出力する受信完了信号出力部３４をさらに備え、受信完了信号を情報処理装置１１へ送信できるようになっている以外は、実施の形態１のディジタル録音装置４０と同様の構成を備えている。
【０１１１】
本実施形態の曲番号表示方法では、図１６および図１９に示すように、情報処理装置１３で再生している曲の末尾になると、情報処理装置１３からディジタル録音装置４１に表示曲番号変更コマンドが送信される。ディジタル録音装置４１は、この表示曲番号変更コマンドを受け取ると、受信完了信号出力部３４において、受信が無事に完了したことを示す受信完了信号（受信ＯＫステータス信号）を生成し、情報処理装置１３に送信する。情報処理装置１３は、曲の末尾で表示曲番号変更コマンドを送信した後、受信完了信号を受け取るまで再生を停止し、受信完了信号を受けとってから次曲の再生を開始する。
【０１１２】
次に、本実施形態の曲番号表示方法について、図２０のフローチャートに基づいて説明する。
【０１１３】
本実施形態の曲番号表示方法では、図２０に示すように、オーディオプレーヤアプリケーション２ｂが、曲が終了したか、すなわち、現在再生している信号が曲の末尾であるかを繰り返し判別する（Ｓ２１）。そして、曲が終了していれば、すなわち、曲の末尾であれば、再生を停止（ＰＡＵＳＥ）し（Ｓ２２）、情報処理装置１３が表示曲番号変更コマンド（曲番ＵＰコマンド）をディジタル録音装置４１に発行する（Ｓ２３）。ディジタル録音装置４１は、表示曲番号変更コマンドを受信すると、受信完了信号出力部３４から受信完了信号（受信ＯＫステータス）を情報処理装置１３に送信（発行）する。次いで、情報処理装置１３は、受信完了信号を検知し（Ｓ２４）、受信完了信号を検出（確認）すると、次曲の再生を開始する（Ｓ２５）。
【０１１４】
一方、情報処理装置１３は、受信完了信号が検出できなければ、所定時間が経過しているかを判別し（Ｓ２６）、所定時間が経過していなければ、すなわち、時間切れ（ＴＩＭＥＯＵＴ）になっていなければ、Ｓ２４に戻って受信完了信号の検知を再度行う。つまり、所定時間が経過するまで、受信完了信号の検知を繰り返し行う。所定時間が経過しても受信完了信号が検出できなければ、Ｓ２３に戻り、もう１度、表示曲番号変更コマンド（曲番ＵＰコマンド）をディジタル録音装置４１に送信（発行）する。
【０１１５】
以上のように、本実施形態の方法によれば、表示曲番号変更コマンドを送信した後、再生を停止し、受信完了信号を検出してから次曲の再生を開始するようにしたので、通信エラーに対応することができる。すなわち、通信エラーにより正常に表示曲番号変更コマンドが受信されず、曲番号を変更することなく次曲の再生に移ることを防止できる。また、オーディオプレーヤアプリケーション２ｂからディジタル録音装置制御アプリケーション２ｃへＯＳ２ｄ経由で曲番号変化を通知する際の遅延が大きい場合に、表示曲番号変更コマンドが発行される前に次曲の再生が始まってしまうことを防止できる。
【０１１６】
なお、本実施形態では、実施の形態１のディジタル録音システムに受信完了信号出力部３４の追加等の改良を加えた場合について説明したが、実施の形態２や実施の形態３のディジタル録音システムに受信完了信号出力部３４の追加等の改良を加えてもよい。
【０１１７】
また、前記各実施形態のディジタル録音システムは、ＣＤ−ＲＯＭドライブ１の代わりにＭＤデータドライブ等のＭＤ再生装置を備え、第２の記録媒体としてＭＤを再生できるようになっていてもよい。この場合にも、ＣＤ−ＲＯＭドライブ１を備える場合と同様に、実施の形態３のように、オーディオＣＤの再生時にはＵビット情報を用いて曲番号の変化を検出することが可能である。なぜなら、Ｕビット情報は、オーディオＣＤとオーディオＭＤとでほぼ同様であり、オーディオＣＤのＵビット情報には時間情報が含まれている一方、オーディオＭＤのＵビット情報には時間情報が含まれていない（０固定）である点だけが異なるからである。
【０１１８】
また、上記各実施形態のディジタル録音装置４０は、オーディオＭＤ等の光磁気ディスクにディジタルオーディオ信号を情報圧縮して記録する光磁気記録装置となっていた。しかしながら、ディジタル録音装置４０に代えて、他の記録方式を用いたディジタル録音装置、例えば、テープ型磁気記録媒体にディジタルオーディオ信号を磁気記録するＤＡＴ等のディジタル録音装置を用いてもよい。
【０１１９】
【発明の効果】
本発明のディジタル録音システムは、以上のように、情報処理装置が、音楽ファイルの曲の先頭をディジタルオーディオ信号に変換するのに同期して、曲番号表示部に表示される曲番号を変更するための表示曲番号変更指示信号を生成する信号生成部を備え、ディジタル録音装置が、表示曲番号変更指示信号を検出する信号検出部と、信号検出部で表示曲番号変更指示信号が検出される毎に、曲番号表示部に表示される曲番号を変更する表示制御部とを備える構成である。
【０１２０】
上記構成によれば、曲番号表示部に表示される曲番号を音楽ファイルの曲の切り換わり部分で確実に変更することができる。それゆえ、曲間が短かい場合や曲間に基準の信号レベルより高い信号レベルの音が記録されている場合にも、正確な曲番号表示を行うことができるという効果が得られる。また、上記構成では、ＣＤライティングソフトウェアでＵビット情報（サブコード）を生成する場合と比較して、情報処理装置の負荷が軽いので、処理速度の不足による音切れを防止できるという効果が得られる。
【０１２１】
本発明のディジタル録音システムでは、ディジタルオーディオ信号を情報処理装置からディジタル録音装置へ伝送するためのディジタル信号ケーブルと、表示曲番号変更指示信号を信号処理装置の信号生成部からディジタル録音装置の信号検出部へ伝送するための制御信号ケーブルとが、互いに独立して設けられていることが、より好ましい。
【０１２２】
このように、曲番号変更指示信号を伝送するための制御信号ケーブルをディジタルオーディオ信号を伝送するためのディジタル信号ケーブルと独立して設けることにより、制御信号ケーブルの通信方式を自由に選択することが可能になるという効果が得られる。具体的には、例えば、制御信号ケーブルの通信方式を、管理が簡単な定期的に通信を行うものとしたり、情報処理装置の負荷が軽い必要な時（曲番号の変更が発生した時）にのみ通信を行うものとしたり、通信エラーが検出が可能な双方向通信としたりすることができる。
【０１２３】
本発明のディジタル録音システムの好ましい一形態では、上記情報処理装置は、曲番号情報を含むディジタルオーディオ信号が記録された第２の記録媒体から、曲番号情報を含むディジタルオーディオ信号を再生する再生装置と、再生装置で再生されたディジタルオーディオ信号、および音楽ファイルの変換により得られたディジタルオーディオ信号のいずれをディジタル録音装置へ出力するかを切り替える切替手段とを備えるものであり、上記表示制御部は、再生装置で再生されたディジタルオーディオ信号が情報処理装置から出力された場合には、該ディジタルオーディオ信号に含まれる曲番号情報に基づいて曲番号表示部に表示される曲番号を変更する一方、音楽ファイルの変換により得られたディジタルオーディオ信号が情報処理装置から出力された場合には、表示曲番号変更指示信号に基づいて曲番号表示部に表示される曲番号を変更するようになっている。
【０１２４】
上記構成によれば、第２の記録媒体の再生時に、第２の記録媒体に記録された曲番号情報を利用して曲番号表示部に表示される曲番号が変更される。これにより、オーディオＣＤやオーディオＭＤのような第２の記録媒体の再生時に、表示曲番号変更指示信号を生成する必要がなくなり、情報処理装置の負荷を低減することができるという効果が得られる。
【０１２５】
本発明の曲番号表示方法は、以上のように、情報処理装置で音楽ファイルの曲の先頭をディジタルオーディオ信号に変換するのに同期して表示曲番号変更指示信号を生成するとともに表示曲番号変更指示信号をディジタル録音装置に出力し、ディジタル録音装置で表示曲番号変更指示信号が検出される毎に、ディジタル録音装置に表示される曲番号を変更する方法である。
【０１２６】
上記方法によれば、ディジタル録音装置に表示される曲番号を音楽ファイルの曲の切り換わり部分で確実に変更することができる。それゆえ、曲間が短かい場合や曲間に基準の信号レベルより高い信号レベルの音が記録されている場合にも、正確な曲番号表示を行うことができるという効果が得られる。また、上記構成では、ＣＤライティングソフトウェアでＵビット情報（サブコード）を生成する場合と比較して、情報処理装置の負荷が軽いので、処理速度の不足による音切れを防止できるという効果が得られる。
【０１２７】
本発明の情報処理装置は、以上のように、音楽ファイルの曲の先頭をディジタルオーディオ信号に変換するのに同期して、曲番号表示部に表示される曲番号を変更するための表示曲番号変更指示信号を生成して出力する信号生成部を備える構成である。
【０１２８】
上記構成により、ディジタル録音装置で表示曲番号変更指示信号が検出される毎に、ディジタル録音装置に表示される曲番号を変更するようにすれば、ディジタル録音装置に表示される曲番号を音楽ファイルの曲の切り換わり部分で確実に変更することが可能となる。それゆえ、曲間が短かい場合や曲間に基準の信号レベルより高い信号レベルの音が記録されている場合にも、正確な曲番号表示を行うことができるという効果が得られる。また、上記構成では、ＣＤライティングソフトウェアでＵビット情報（サブコード）を生成する場合と比較して、情報処理装置の負荷が軽いので、処理速度の不足による音切れを防止できるという効果が得られる。
【図面の簡単な説明】
【図１】本発明に係るディジタル録音システムの概略を示すブロック図である。
【図２】図１に示すディジタル録音システムにおけるディジタルオーディオ信号と曲番号変更制御信号との関係を示す説明図である。
【図３】本発明の実施の一形態に係るディジタル録音システムの概略を示すブロック図である。
【図４】図３に示すディジタル録音システムが備える情報処理装置の構成を示すブロック図である。
【図５】図３に示すディジタル録音システムが備えるディジタル録音装置の構成を示すブロック図である。
【図６】本発明の他の実施の形態に係るディジタル録音システムの概略を示すブロック図である。
【図７】図６に示すディジタル録音システムが備える情報処理装置の構成を示すブロック図である。
【図８】本発明のさらに他の実施の形態に係るディジタル録音システムの概略を示すブロック図である。
【図９】図８に示すディジタル録音システムが備える情報処理装置の構成を示すブロック図である。
【図１０】本発明のさらに他の実施の形態に係るディジタル録音システムの概略を示すブロック図である。
【図１１】図１０に示すディジタル録音システムにおけるディジタルオーディオ信号と曲番号変更制御信号との関係を示す説明図である。
【図１２】図１０に示すディジタル録音システムにおける曲番号表示方法を示すフローチャートである。
【図１３】本発明のさらに他の実施の形態に係るディジタル録音システムの概略を示すブロック図である。
【図１４】図１３に示すディジタル録音システムにおけるディジタルオーディオ信号と曲番号変更制御信号との関係を示す説明図である。
【図１５】図１３に示すディジタル録音システムにおける曲番号表示方法を示すフローチャートである。
【図１６】本発明のさらに他の実施の形態に係るディジタル録音システムの概略を示すブロック図である。
【図１７】図１６に示すディジタル録音システムが備える情報処理装置の構成を示すブロック図である。
【図１８】図１６に示すディジタル録音システムが備えるディジタル録音装置の構成を示すブロック図である。
【図１９】図１６に示すディジタル録音システムにおけるディジタルオーディオ信号と曲番号変更制御信号との関係を示す説明図である。
【図２０】図１６に示すディジタル録音システムにおける曲番号表示方法を示すフローチャートである。
【図２１】Ｕビット情報のデータ構造を示す説明図である。
【符号の説明】
１    ＣＤ−ＲＯＭドライブ
１ａ  オーディオＣＤ（第２の記録媒体）
２    ハードディスク
２ａ  音楽ファイル
２ｂ  オーディオプレーヤアプリケーション
２ｃ  ディジタル録音装置制御アプリケーション（表示曲番号変更指示信号生成部）
２ｅ  オーディオプレーヤアプリケーション
４    ＣＰＵ（表示曲番号変更指示信号生成部）
５    メモリ（表示曲番号変更指示信号生成部）
７    切替回路（切替手段）
１０    情報処理装置
１１    情報処理装置
１２    情報処理装置
１３    情報処理装置
１５    表示装置
２３    信号検出部
２４    表示制御部
２７    曲番号表示部
３４    受信完了信号出力部
４０    ディジタル録音装置
４１    ディジタル録音装置
５０    光ケーブル
５１    制御信号ケーブル
【図１】
0003597452.tif 000002
【図２】
0003597452.tif 000003
【図３】
0003597452.tif 000004
【図４】
0003597452.tif 000005
【図５】
0003597452.tif 000006
【図６】
0003597452.tif 000007
【図７】
0003597452.tif 000008
【図８】
0003597452.tif 000009
【図９】
0003597452.tif 000010
【図１０】
0003597452.tif 000011
【図１１】
0003597452.tif 000012
【図１２】
0003597452.tif 000013
【図１３】
0003597452.tif 000014
【図１４】
0003597452.tif 000015
【図１５】
0003597452.tif 000016
【図１６】
0003597452.tif 000017
【図１７】
0003597452.tif 000018
【図１８】
0003597452.tif 000019
【図１９】
0003597452.tif 000020
【図２０】
0003597452.tif 000021
【図２１】
0003597452.tif 000022